(57)【要約】      （修正有）【課題】ガラス棚のガラス端面の保護と意匠性を確保しつつ、棚の透光性を高くし冷蔵室内全体の明るさを向上できる冷蔵庫を提供する。【解決手段】貯蔵室と、貯蔵室内に配置してガラスで形成した棚２０と、棚の端部保護部材１６と、を備え、端部保護部材１６は、透光性材料で構成する。【選択図】図４
2015034652.tif 000002
【特許請求の範囲】
【請求項１】
貯蔵室と、該貯蔵室内に配置してガラスで形成した棚と、前記棚の端部保護部材と、を備え、
前記端部保護部材は、透光性材料で構成したことを特徴とする冷蔵庫。
【請求項２】
前記棚の左側面及び右側面は、前側面と形成する角度がそれぞれ鋭角としたことを特徴とする、請求項１記載の冷蔵庫。
【請求項３】
前記貯蔵室の後部に配置された背面パネルを備え、前記背面パネルは突状部を含み、前記棚は前記突状部に接触又は近接する範囲の凹形状部を有することを特徴とする、請求項１又は２記載の冷蔵庫。
【請求項４】
前記棚下部にミラー部を有することを特徴とする、請求項１記載の冷蔵庫。
【発明の詳細な説明】
【技術分野】
【０００１】
本発明は、冷蔵庫に関する。
【背景技術】
【０００２】
本技術分野の背景技術として、特開２０１１−１１７７２７号公報（特許文献１）がある。
【０００３】
特許文献１の請求項１には、「上部に冷蔵室と、下部に冷凍室と、前記冷蔵室内には上下に複数の棚と、前記冷蔵室の背面には、冷気を庫内に供給するためのダクトを覆う樹脂製のダクトカバーに設けた凹部と、前記凹部にＬＥＤ発光素子を配置した基板と、前記基板の前方に透光性樹脂で成形したランプカバーと、を備えた冷蔵庫において、前記ＬＥＤ発光素子の光は前記ランプカバーの断面が円弧形状で表面に形成した凸部によって拡散照射し、前記ランプカバーの前方に位置する前記棚をガラス棚で構成することで、拡散照射した光が前記ガラス棚によって透過および反射作用により、前記冷蔵室内全体に光を行き届かせるようにしたものである。」と記載されている。
【先行技術文献】
【特許文献】
【０００４】
【特許文献１】特開２０１１−１１７７２７号公報
【発明の概要】
【発明が解決しようとする課題】
【０００５】
特許文献１記載の構成では、ガラス端面を保護するために、ガラス端面周囲は樹脂によるインサート成形を行っており、この樹脂材料で区画された領域以上に棚面積を広げられない。また、樹脂材料で庫内照明が遮られるため、貯蔵室の視認性が低下する。
【０００６】
そこで本発明は、貯蔵室の視認性を向上した冷蔵庫を提供する。
【課題を解決するための手段】
【０００７】
上記課題を解決するために、本発明は一例として、貯蔵室と、該貯蔵室内に配置してガラスで形成した棚と、前記棚の端部保護部材と、を備え、前記端部保護部材は、透光性材料で構成したことを特徴とする。
【発明の効果】
【０００８】
本発明によれば、貯蔵室の視認性を向上した冷蔵庫を提供することができる。
【図面の簡単な説明】
【０００９】
【図１】本発明の実施例における冷蔵庫の構成を示す斜視図。
【図２】本発明の実施例における冷蔵室扉を外した状態の冷蔵室の正面図。
【図３】本発明の実施例における冷蔵室内の庫内照明手段の照射範囲を説明する冷蔵室の側断面図。
【図４】（ａ）は本発明の実施例におけるガラス棚の構成を示す斜視図、（ｂ）は（ａ）のＡ−Ａ断面図、（ｃ）は（ｂ）の変形例の図。
【図５】本発明の実施例におけるガラス棚の周辺部品の構成を説明する斜視図。
【図６】（ａ）及び（ｂ）はそれぞれ図５のＢ平面の断面図。
【図７】本発明の比較例における冷蔵室内の庫内照明手段の照射範囲を説明する冷蔵室の側断面図。
【図８】本発明の実施例における冷蔵室内の庫内照明手段の照射範囲を説明する冷蔵室の側断面図。
【発明を実施するための形態】
【００１０】
本発明の実施例について、図面に基づいて説明する。まず、実施例の冷蔵庫の全体構成に関して、図１，図２を用いて説明する。図１は、本発明の実施例における冷蔵庫の構成を示す斜視図である。図２は、本発明の実施例における冷蔵室扉を外した状態の冷蔵室の正面図である。
【００１１】
冷蔵庫本体１には、冷蔵室２，製氷室４，上段冷凍室３，冷凍室５，野菜室６が設けられて、各貯蔵室の前方開口を閉塞する扉がそれぞれ設けられている。冷蔵室扉２ａ，２ｂは冷蔵室２の前方開口を閉じる扉、上段冷凍室扉３ａは上段冷凍室３の前方開口を閉じる扉、製氷室扉４ａは製氷室３の前方開口を閉じる扉、冷凍室扉５ａは冷凍室５の前方開口を閉じる扉、野菜室扉６ａは野菜室６の前方開口を閉じる扉である。冷蔵室扉２ａ，２ｂは、左右の扉端部のヒンジを支点に、冷蔵室２の前方開口中央付近から両側に開く両開きの扉で構成されている。上段冷凍室扉３ａ，製氷室扉４ａ，冷凍室扉５ａ，野菜室扉６ａは引出し式の扉によって構成され、引出し扉とともに貯蔵室内の引出し容器が引出される。
【００１２】
冷蔵室２内部には、図２に示すように、食品を載置するための棚６，７，８，９が高さ方向に複数、貯蔵空間の高さ間隔を空けて設けられている。
【００１３】
棚６，７は、使用者の操作によって高さを可変できる構成である。棚６，７の支持用に、冷蔵室２内部の左側面壁と右側面壁には、支持部１０ａ，１０ｂ，１１ａ，１１ｂを高さ方向に複数有している。棚６は、高さの異なる支持部１０ａ，１０ｂで、棚７は支持部１１ａ，１１ｂでそれぞれ位置を入れ替えて、使用高さを変更できる。なお、棚６，７のいずれかのみ使用することも可能である。その場合、支持部１０ａ，１０ｂ，１１ａ，１１ｂのいずれかに棚の高さ位置を設定して、高さのある貯蔵物を収納できる。
【００１４】
また、本実施例では棚８，９の高さは固定としているが、棚８，９を棚６，７と同様、高さを変更可能な構成としてもよい。
【００１５】
次に、貯蔵室の一例である冷蔵室２内の視認性を向上する構成について説明する。図３は、本発明の実施例における冷蔵室内の庫内照明手段の照射範囲を説明する冷蔵室の側断面図である。
【００１６】
冷蔵室２内部には、図３（ａ）に示すように、上壁部に庫内照明手段である庫内灯１２が設置されている。庫内灯１２の照射範囲１２ａは、上方から下方に向けて放射状に広がり、冷蔵室２内全体を明るくなるように照らす。その際、棚６，７，８は照射範囲１２ａに位置するため、最下段ｎ棚９付近では、明るさが最上段６付近よりも弱くなる。
【００１７】
また、図３（ｂ）に示すように、上壁部の庫内灯１２と共に、又は替えて、冷蔵室２の側壁部前方寄り、好ましくは棚前端よりも前方で庫内灯１３を上下方向に設置する。この構成にすることで、冷蔵室２の前方側の上部から下部まで、棚６，７，８，９をさらに照射斑なく明るく照らすことができる。
【００１８】
しかし、図３（ｂ）に示す庫内灯１３の構成では、冷蔵室２の両側壁に庫内灯１３を設置するため、原価が高くなると共に、消費電力量が増大する。さらに、断熱壁厚が庫内灯１３の設置寸法分薄くなるため、断熱性能が低下する。
【００１９】
そこで、図３（ａ）に示す棚６，７，８に透光性が高いガラスを採用することで、貯蔵室内の明るさを向上させることができる。
【００２０】
なお、庫内灯１３の照射範囲１２ａは、ＬＥＤを光源とした場合、ＬＥＤを中心としておよそ１２０度の範囲となる。
【００２１】
次に、ガラス棚の構成について、図４を用いてさらに説明する。図４（ａ）は本発明の実施例におけるガラス棚の構成を示す斜視図、図４（ｂ）は図４（ａ）のＡ−Ａ断面図、図４（ｃ）は、図４（ｂ）の変形例の図である。
【００２２】
図４（ａ）に示すように、棚２０は、ガラス１５、ガラス端部保護部材である樹脂１６、棚２０前端の化粧部品１７を含む構成である。図４（ｂ）に示すように、ガラス１５の外周には、上角部１５ａ及び下角部１５ｂが形成されている。この上角部１５ａ及び下角部１５ｂを含むガラス１５端部を保護するために、端部保護部材である樹脂１６にて保護を行っている。樹脂１６は、ガラス１５端面から上角部１５ａを含みガラス１５上面に位置するとともに、ガラス１５端面から下角部１５ｂを含みガラス１５下面に位置する。樹脂１６はガラス１５の端部を保護するとともに、外観性を向上させる機能を有する。
【００２３】
次に、棚２０の透光性について説明する。
【００２４】
ガラス１５端部を保護する樹脂１６は、デザイン性と清潔性の観点から、一般的に白色樹脂を使用しており、透光性を有さない。図３（ａ）においては、照射範囲１３ａに棚６，７，８の前端を含む構成となっている。この構成では、棚６，７，８の端部保護部材によって光が遮られるおそれがある。
【００２５】
そこで、本実施例では、樹脂１６を透明もしくは半透明の材料で構成し、ガラス１５の端面１５ａ，１５ｂを樹脂１６で保護しつつ、樹脂１６で光源を阻害しない構造としている。これにより、棚２０の透光性能を向上できる。また、化粧部品１７についても、透明もしくは半透明の材料を含む構成とすることにより、照明手段の光を遮らないで貯蔵室内の照射斑を抑えることができる。
【００２６】
また、棚２０の樹脂１６を透明もしくは半透明の材料で構成し、ガラス１５の上端部１５ａ，下端部１５ｂに照明手段の光が当たって反射することで強調させて見せることにより、冷蔵室２の高級感の向上が期待できる。
【００２７】
また、棚２０は、ガラス１５と樹脂１６との間に微小な隙間１５ｆが発生し（図４（ｃ）参照）、棚２０上にて醤油や汁物などの水気を伴う物体をこぼすと、隙間１５ｆに侵入するおそれがある。すると、樹脂１６を透明もしくは半透明の材料で構成した場合、隙間１５ｆに侵入した水気を伴う物体の色が外観上視認し得る状態となるものの、隙間１５ｆは微小であるため清掃を行うことが困難である。
【００２８】
そこで、図４（ｃ）に示すように、ガラス端面に上方に突出する形状の突出部１５ｇを設け、隙間１５ｆを極力短くする。これにより、隙間１５ｆへ侵入した水分が排出されやすくなり、隙間１５ｆに水分が滞留することを防止できる。なお、突出部１５ｇの形状は、段差形状、傾斜形状、湾曲形状等、ガラス１５の載置面から上方に突出した形状であれば、特に限定されない。
【００２９】
次に、棚２０のガラス１５の形状により、透光性能を向上させる構成について、図５及び図６を用いて説明する。図５は、本発明の実施例におけるガラス棚の周辺部品の構成を説明する斜視図である。図６（ａ）及び（ｂ）は、図５のＢ平面の断面図である。
【００３０】
図５に示すように、冷蔵室２内部の背面には、冷蔵室２を冷却するための冷気２８を通すためのダクト２９と、冷気２８を通す吐出孔２７を有した背面パネル３０が設置されており、棚２０は背面パネル３０の前面に配置する構造となっている。
【００３１】
また、図６に示すように、冷蔵室２内の側壁２１ａ，２１ｂは、樹脂成型時の離型性を考慮して、奥側に向かって側壁２１ａ，２１ｂが近づくように傾斜を設けている。すなわち、棚２０の左側面及び右側面は、前側面と形成する角度がそれぞれ鋭角となっている。
【００３２】
一方、冷蔵室２の背面パネル３０は、冷気２８を通すダクト２９を有しているため、貯蔵室側に突出した円弧の突状部３０ａのような形状を有している。すなわち、棚２０の背側面は、突状部３０ａであるダクト２９の右側、前側、及び左側に位置するように凹形状部を有する。
【００３３】
このように、棚２０は、側壁２１ａ，２１ｂと背面パネル３０、突状部３０ａの形状に沿う形状となる。
【００３４】
ここで、棚２０のガラス１５は、加工の容易性から矩形形状とすることが一般的である。そのため、図６（ａ）では、矩形のガラス１５の周囲を冷蔵室２の側壁２１ａ，２１ｂ、背面パネル３０及び突状部３０ａに合わせた形状の樹脂１６で端部を覆っている。この場合、樹脂１６の占有面積が大きくなるが、透光性材料で樹脂１６を構成することにより、照明手段である庫内灯１２の遮光を抑制することができる。
【００３５】
次に、図６（ｂ）に示すように、ガラス１５を側壁２１ａ、２１ｂの形状に合わせた傾斜１５ｃ，１５ｄの形状として、背面パネル３０の突状部３０ａ形状に対しては、凹形状部１５ｅとなるような形状とする。このようなガラス１５形状とすることで、食品載置面積を拡大することができ、透光性能を向上できる。る。また、棚２０の外周を保護している樹脂１６の割合を低減でき、外観性がより向上する。
【００３６】
次に、図７，図８を用いて、冷蔵室２内の孝範囲を明るく見せる構成について説明する。図７は、本発明の比較例における冷蔵室内の庫内照明手段の照射範囲を説明する冷蔵室の側断面図である。図８は、本発明の実施例における冷蔵室内の庫内照明手段の照射範囲を説明する冷蔵室の側断面図である。
【００３７】
図７に示すように、冷蔵室２の両側壁の上下方向に設けた庫内灯１３からの光源１３ａは、棚６，７，８，９に食品３１が収納されていると、食品によって照射範囲１３ｂを遮られてしまう。そのため、冷蔵室２の奥側が見えにくくなる。
【００３８】
そこで、図８に示すように、棚６，７，８の下部にミラー部を構成する。ミラー部は、例えば、棚６，７，８の下面にミラーフィルム３２を貼ることで、照射範囲１３ｂの光が反射され食品３１によって光を遮られることなく、冷蔵室２内の奥側を照らすことが可能となる。
【００３９】
また、ミラーフィルム３２を貼り付ける面は、平面が平滑であれば、より光を反射させやすい。さらに、棚２０の下部に貼り付けたミラーフィルム３２により、冷蔵室２内の空間を視覚的に広く見せられる効果が期待できる。
【００４０】
以上より、貯蔵室と、該貯蔵室内に配置してガラスで形成した棚と、前記棚の端部保護部材と、を備え、前記端部保護部材は、透光性材料で構成する。これにより、棚の強度を確保するとともに、貯蔵室内の視認性を向上することができる。
【００４１】
また、前記棚の左側面及び右側面は、前側面と形成する角度がそれぞれ鋭角とする。これにより、貯蔵室側壁形状に沿って棚面積を向上することができる。
【００４２】
また、前記貯蔵室の後部に配置された背面パネルを備え、前記背面パネルは突状部を含み、前記棚は前記突状部に接触又は近接する範囲の凹形状部を有する。これにより、背面パネル形状に沿って棚面積を向上することができる。
【００４３】
また、前記棚下部にミラー部を有する。これにより、照射範囲の光が反射されるため食品によって光を遮られることなく、貯蔵室内の奥側を照らすことができる。
【符号の説明】
【００４４】
１  冷蔵庫本体
２  冷蔵室（貯蔵室）
６，７，８，９  棚
１０ａ，１０ｂ，１１ａ,１１ｂ  支持部
１２,１３  庫内灯（庫内照明手段）
１２ａ,１３ａ,１３ｂ  照射範囲
１５  ガラス
１５ａ  上角部
１５ｂ  下角部
１５ｃ,１５ｄ  傾斜
１５ｅ  円弧
１５ｇ  突出部
１６  樹脂（端部保護部材）
１７  化粧部品
２０  棚
２１ａ,２１ｂ  傾斜面
２７  吐出孔
２８  冷気
３０  背面パネル
３０ａ  突状部
３１  食品
３２  ミラーフィルム（ミラー部）
【図１】
2015034652.tif 000003
【図２】
2015034652.tif 000004
【図３】
2015034652.tif 000005
【図４】
2015034652.tif 000006
【図５】
2015034652.tif 000007
【図６】
2015034652.tif 000008
【図７】
2015034652.tif 000009
【図８】
2015034652.tif 000010